(57)【要約】      （修正有）【課題】カードコネクタの位置決め構造の提供。【解決手段】本考案は一種のカードコネクタの位置決め構造に関わるものである。主に、絶縁台内部に導電端子組を設け、該導電端子組の片側は所定のメモリカードを挿接する接触部を設け、絶縁台に収容空間を覆う遮蔽ハウジングを設ける。該遮蔽ハウジングの短辺に位置決め構造を設け、該位置決め構造の片側に支持アームを設け、該支持アームの内側に、自由移動の押し込み台を形成する。該押し込み台の片側より支持アームの外部に延ばして、所定のメモリカードを押し込むための誘導塊を設ける。メモリカードを挿抜するとき、該誘導塊はメモリカードを正確な挿入ルートに案内する。【選択図】図２
0003128494.tif 000002
【実用新案登録請求の範囲】
【請求項１】
外付けメモリカードを挿入して使用に備え、絶縁台内部に導電端子組を設け、導電端子組の一端に所定のメモリカードを挿接する接触部を設け、絶縁台に収容空間を覆う遮蔽ハウジングを設け、収容空間内部に弾性部材を備えるカードコネクタの位置決め構造において、
該位置決め構造の一端に支持アームを設け、支持アーム内部に自由移動する押し込み台を設け、該押し込み台に、支持アームより延ばす誘導塊を設けて、所定のメモリカードを誘導塊に押し込んで、挿入空間を照準し、押し込み力量を軸方向に押し込んで、弾性部材を圧迫することを特徴とするカードコネクタの位置決め構造。
【請求項２】
該絶縁台の導電端子組の接触部は絶縁台の接ぎ合わせ接続部に設け、接触部を離れた他端に、絶縁台外部に露出して、所定の電気回路板に電気導通するための連結部を設け、絶縁台の外部に覆う遮蔽ハウジングは、位置決め構造を遮蔽ハウジングの短辺に設け、遮蔽ハウジングに備える台の片側を延ばして、各種規格のメモリカードを誘導部に押し込むことを特徴とする請求項１記載のカードコネクタの位置決め構造。
【請求項３】
該位置決め構造に備える台の内部は案内棒の滑り移動と位置決めするための案内溝を設け、案内棒はメモリカードを２回押すことにより、案内溝にて、滑り移動と位置決めの繰り返し動作を行うほか、位置決め構造に備える押し込み台の一端は、所定のメモリカードを押し込むための押し込み部を設け、押し込み部を離れた他端に、所定のメモリカードを接触するための誘導塊に、より大きい面積の傾斜面を設けて、所定のメモリカードを正確な挿入ルートに誘導し、誘導塊と押し込み部を合せて、二重押さえにより、所定のメモリカードを安定に移動することを特徴とする請求項１記載のカードコネクタの位置決め構造。
【考案の詳細な説明】
【技術分野】
【０００１】
本考案は一種のカードコネクタの位置決め構造、特にメモリカードを正確な挿入ルートに案内する構造により、位置決め構造をカードコネクタの短辺に設けることにより、軸方向の押し込み推力と受力を提供し、メモリカードの偏りの防止効果がある。
【背景技術】
【０００２】
現在のコンピュータ技術発展の加速化に伴い、デスクトップコンピュータまたはパソコンもこの社会の至るところに存在している。また、コンピュータ技術の日進月歩により、中央演算装置の演算速度も大幅に向上している。このため、コンピュータ周辺装置の伝送速度もこれに合せて、加速化、グレードアップしなければならない。一方、現時点コンピュータで良く使われている周辺構成機器相互接続（ＰＣＩバス）（Ｐｅｒｉｐｈｅｒａｌ  Ｃｏｍｐｏｎｅｎｔ  Ｉｎｔｅｒｃｏｎｎｅｃｔ，ＰＣＩ）はその他の周辺装置とのデータ伝送は、一つのブスバーを共用し、順番を付けて伝送を行う。しかしながら、伝送データの量が大きいとき、コンピュータシステムの処理速度が遅くなり、周辺装置の効率を低下してしまう。
【０００３】
よって、一種の周辺構成機器相互接続（ＰＣＩエキスプレス）（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ，ＰＣＩ Ｅｘｐｒｅｓｓ）インターフェスが開発された。このＰＣＩエキスプレスインターフェスは交換式伝送技術と同位層間の伝送技術を有し、すべてのＰＣＩエキスプレスインターフェスはそれぞれに独立した伝送チャンネルを持たせることにより、従来の共用ブスバー構造によらない。このため、周辺装置のデータ伝送のとき、ブスバーの共用による速度低下の問題を解決できる。そして、ＰＣＩエキスプレスカードを介して、周辺装置をコンピュータシステムに備えるＰＣＩエキスプレスインターフェスに接続して、ＵＳＢ２.０の伝送チャンネルを利用するで、その伝送効率は既存のＰＣＩブスバーをはるかに速い。
【０００４】
現時点のＰＣＩエキスプレスカードは、幅３４ｍｍのエキスプレスカード/３４（直入型）と幅５４ｍｍのエキスプレスカード/５４（コーナー型）２種類の規格がある。通常、エキスプレスカードとコネクタと接続するとき、そのコネクタはＰＣＩ エキスプレスカード２種の規格に合せるため、外観はエキスプレスカード/５４（コーナー型）規格を設けて、一種のプッシュ・プッシュ構造（Ｐｕｓｈ−Ｐｕｓｈ  ｃｏｎｆｉｇｕｒａｔｉｏｎ）により、メモリカードを２回の押し込み操作で、コネクタに挿入位置決めまたは退去させる。しかしながら、この種のプッシュ・プッシュ構造は、通常コネクタの長辺に設けるため、以下の欠点が生じる。一例として、幅の狭いエキスプレスカード/３４は、幅の広い挿入口より押し込みまたは退去するときに、押し込み構造の側面力により、カードの偏りが発生する。そこで、不注意に過大な力で押し込むと、メモリカードを破損する恐れがある。また、メモリカードを退去するとき、メモリカードの長辺に力が集中され、他端に支える構造がない。メモリカードはカードコネクタ内部で傾斜、位置ずれ、移動により、スロットの溝からずれて、摩擦力を引起し、メモリカードがコネクタ内部に挟まれたまま、退去不能となる。さらに、公知技術の押し込み構造はコネクタの長辺は内部空間を狭めるため、メモリカードを挿入するために、より大きいコネクタが必要となり、空間浪費とコスト増につながる欠点が残る。
【０００５】
前記したとおり、通常のコネクタはメモリカードの挿抜回数があると、バネの弾性疲労により、内部の押し込み構造の弾性が不足し、効率を低下してしまう。このため、一部の業者は押し込み構造をコネクタの短辺に設ける構造を開発した。主にメモリカードを挿抜するとき、メモリカードのずれが少なくなるほか、両側ともコネクタ側板によって支えられた状態で挿抜できる。しかしながら、コネクタの短辺に設ける押し込み構造は連稈を延ばして小さい平面を形成し、メモリカードの押し込みに備える。該押し込み構造のバネの力量は側面角度に力を加えて、メモリカードの反力により偏角を形成するため、メモリカードがずれてしまい、摩擦力が大きくなり、メモリカードが退去不能となる。一方、連稈を離れた他端は小さい面積の傾斜面をもって、メモリカードを案内するのみ、メモリカードを支える同時に、押し込み効果を補助する効果がない。バネの力量は向上できない限り、コネクタの寿命を短縮してしまうのである。このため、コネクタ内部の利用空間を合理化したレイアウトを解決し、コストを軽減することは、この業界が求める改善方向である。
【考案の開示】
【考案が解決しようとする課題】
【０００６】
本考案者は前記し公知技術の欠点を鑑みて、関連資料を多く収集し、評価と設計を重ね、考案者がこの業界で蓄積した長年の経験、ならびに絶えずに改善する理念に基づいて本考案のカードコネクタの位置決め構造を考案した。
【０００７】
位置決め構造をカードコネクタの短辺に設け、メモリカードの軸方向推力を受けて移動する押し込み台を設けることにより、力量の授受で、その押し込み力量をメモリカードの中央部に集中し、メモリカードのずれによる退去するときの摩擦力発生を防止し、操作を確実、滑らかにし、寿命を延長し、コスト軽減の効果を実現できる、一種のカードコネクタの位置決め構造を提供することを本考案の主な目的とする。
【０００８】
押し込み台にメモリカードを正しい方向に案内する誘導塊を設け、該誘導塊は支持アームより延ばして移動可能とする。挿抜するときは、内部の構成要素またはメモリカードに衝突して破損することがないため、操作がより確実、滑らかにより、寿命を延長できる、一種のカードコネクタの位置決め構造を提供することを本考案の次の目的とする。
【０００９】
誘導塊により大きい面積の傾斜面を設けて、メモリカードに接触した後、適切な挿入経路に誘導するほか、メモリカード両側を遮蔽ハウジングの側板、誘導部および押し込み台の端面それぞれに当てることにより、挿入経路を確実に誘導し、操作が滑らかとなり、容易に挿抜効果を実現できる、一種のカードコネクタの位置決め構造を提供することを本考案のさらに一つの目的とする。
【課題を解決するための手段】
【００１０】
請求項１の考案は、外付けメモリカードを挿入して使用に備え、絶縁台内部に導電端子組を設け、導電端子組の一端に所定のメモリカードを挿接する接触部を設け、絶縁台に収容空間を覆う遮蔽ハウジングを設け、収容空間内部に弾性部材を備えるカードコネクタの位置決め構造において、
該位置決め構造の一端に支持アームを設け、支持アーム内部に自由移動する押し込み台を設け、該押し込み台に、支持アームより延ばす誘導塊を設けて、所定のメモリカードを誘導塊に押し込んで、挿入空間を照準し、押し込み力量を軸方向に押し込んで、弾性部材を圧迫することを特徴とするカードコネクタの位置決め構造としている。
請求項２の考案は、該絶縁台の導電端子組の接触部は絶縁台の接ぎ合わせ接続部に設け、接触部を離れた他端に、絶縁台外部に露出して、所定の電気回路板に電気導通するための連結部を設け、絶縁台の外部に覆う遮蔽ハウジングは、位置決め構造を遮蔽ハウジングの短辺に設け、遮蔽ハウジングに備える台の片側を延ばして、各種規格のメモリカードを誘導部に押し込むことを特徴とする請求項１記載のカードコネクタの位置決め構造としている。
請求項３の考案は、該位置決め構造に備える台の内部は案内棒の滑り移動と位置決めするための案内溝を設け、案内棒はメモリカードを２回押すことにより、案内溝にて、滑り移動と位置決めの繰り返し動作を行うほか、位置決め構造に備える押し込み台の一端は、所定のメモリカードを押し込むための押し込み部を設け、押し込み部を離れた他端に、所定のメモリカードを接触するための誘導塊に、より大きい面積の傾斜面を設けて、所定のメモリカードを正確な挿入ルートに誘導し、誘導塊と押し込み部を合せて、二重押さえにより、所定のメモリカードを安定に移動することを特徴とする請求項１記載のカードコネクタの位置決め構造としている。
【考案の効果】
【００１１】
本考案はカードコネクタの位置決め構造に関わるものであり、位置決め構造をカードコネクタの短辺に設け、メモリカードの軸方向推力を受けて移動する押し込み台を設けることにより、力量の授受で、その押し込み力量をメモリカードの中央部に集中し、メモリカードのずれによる退去するときの摩擦力発生を防止し、操作を確実、滑らかにし、寿命を延長し、コスト軽減の効果を実現できる。
【００１２】
押し込み台にメモリカードを正しい方向に案内する誘導塊を設け、該誘導塊は支持アームより延ばして移動可能とする。挿抜するときは、内部の構成要素またはメモリカードに衝突して破損することがないため、操作がより確実、滑らかにより、寿命を延長できる。
【００１３】
誘導塊により大きい面積の傾斜面を設けて、メモリカードに接触した後、適切な挿入経路に誘導するほか、メモリカード両側を遮蔽ハウジングの側板、誘導部および押し込み台の端面それぞれに当てることにより、挿入経路を確実に誘導し、操作が滑らかとなり、容易に挿抜効果を実現できる。
【考案を実施するための最良の形態】
【００１４】
本考案はエキスプレスカードを例示する。ただし、本考案は応用するとき、エキスプレスカードに限ることなく、本考案のカードコネクタの位置決め構造をいずれのメモリカードに使用することができる。図１、図２に示すものは、本考案の立体外観図と立体分解図である。図示のとおり、本考案のカードコネクタの位置決め構造は、主に絶縁台、遮蔽ハウジング２、および位置決め構造３より構成する。
【００１５】
そのうち、該絶縁台１にベース部１１を有し、該ベース部１１の片側に接ぎ合わせ接続部１２を設ける。ベース部１１内部に複数の導電端子組１３を貫通して設け、導電端子組１３の接触部１３１は接ぎ合わせ接続部１２に設ける。メモリカード４（図５）の接点を電気導通する。導電端子組１３の他端に備える連結部１３２を絶縁台１外部に露出し、連結部１３２を所定の電気回路板に連結し、電気導通する。
【００１６】
該遮蔽ハウジング２を絶縁台１に覆い、台２１を設ける。台２１の両側より下方へ屈折して側板２２をそれぞれ設け、二つの側板２２の間に所定のメモリカード４を挿入するための収容空間２３を形成し、台２１の下方に誘導部２１１を設け、誘導部２１１は収容空間２３に取り付けて、メモリカード４を誘導する（図５）。
【００１７】
該位置決め構造３は絶縁台１の一端、カードコネクタの短辺に設け、メモリカード４の２回押し込みにより、繰り返し滑り移動する。該位置決め構造３に台３１と押し込み台３２を設け、台３１は絶縁台１と遮蔽ハウジング２に備える側板２２の間に取り付ける。台３１の内部に案内棒３１１の滑り移動と位置決めするための案内溝３１３を備えた支持アーム３１２を形成し、案内棒３１１の隣接端に案内棒３１１と連結する押し込み台３２を設け、該押し込み台３２の一端に、メモリカード４を押し込むための押し込み部３２１を設け、押し込み部３２１の端部は、支持アーム３１２を外部に延ばして露出する誘導塊３２２を設ける。さらに、台３１と押し込み台３２との間は縦方向に弾性部材３３を設ける。
【００１８】
図２、図３、図４、図５と図６に示すものは、それぞれ本考案の立体分解図、位置決め構造の立体外観図、位置決め構造の立体分解図、メモリカードを押し込む前ならびに押し込んだ後の平面図である。図示から分かるように、前記した構成要素を組み合わせるとき、位置決め構造３を絶縁台１の一端に設けてから、遮蔽ハウジング２を絶縁台１に覆い、位置決め構造３は上から下に台３１、弾性部材３３および押し込み台３２を順番に、カードコネクタの短辺取り付けて、位置決め構造３の弾性部材３３は遮蔽ハウジング２内部に縦方向を形成し、台３１と押し込み台３２にそれぞれ連結する。一方、位置決め構造３の台３１は絶縁台１と遮蔽ハウジング２の側板２２の間に設け、押し込み台３２を台３１の案内棒３１１に隣接し支えておく、押し込み台３２の押し込み部３２１は遮蔽ハウジング２の収容空間２３に設け、他端の誘導塊３２２は支持アーム３１２外部に延ばして、本考案の構成要素の組み立てを完了する。
【００１９】
本考案のカードコネクタの位置決め構造にメモリカード４の挿入および使用するとき、直入型メモリカード４を遮蔽ハウジング２の収容空間２３より押し込むときに、誘導部２１１によって、各種規格、寸法のメモリカード４を識別し、幅の狭いメモリカード４を使用するとき、誘導部２１１の端面を隣接のメモリカード４端面と互いに支えて、絶縁台１の接ぎ合わせ接続部１２に押し込む。メモリカード４を押し込むとき（図７）、まず押し込み台３２の誘導塊３２２に当たるため、メモリカード４を収容空間２３に誘導して、導電端子組１３の接触部１３１と電気導通する。誘導塊３２２を支持アーム３１２外部に延ばして、大きい面積の傾斜面３２３を設けて、メモリカード４の接触により、正しい方向に案内する。引き続きに、メモリカード４の両側は、遮蔽ハウジング２の側板２２、誘導部２１１および押し込み台３２の誘導塊３２２の端面に支えて、メモリカード４の接点と導電端子組１３の接触部１３１と電気導通する。一方、メモリカード４を誘導して正しい経路に案内し、確実に誘導効果を発揮し、押し込み台３２が押し込みときの偏りを軽減し、押し込み台３２の滑り移動をより滑らかに行い。押し込み部３２１への過大な力により、案内棒３１１の変形を防止する。
【００２０】
引き続きに、押し込み台３２は案内棒３１１を伝動し、台３１の支持アーム３１２に備える案内溝３１３を内側に滑り移動させ、メモリカード４を所定の位置に押し込まれた後（図８）、案内棒３１１は案内溝３１３に位置決めされるほか、弾性部材３３は圧縮状態となり、メモリカード４の接点と導電端子組１３の接触部１３１と接触し、電気導通を形成する。これにより、導電端子組１３他端の連結部１３２に連結された所定の電気回路板を介して、メモリカード４のデータをコンピュータ主機に伝送する。
【００２１】
なお、メモリカード４を退去するとき、メモリカード４をもう一度押して、位置決め状態の案内棒３１１を滑り移動し、弾性部材３３の弾性復帰力により、押し込み台３２の押し込み部３２１はメモリカード４を伝動して絶縁台１外部に退去させる。よって、本考案の位置決め構造３はメモリカード４を２回押し込みにより、案内棒３１１は案内溝３１３に滑り移動と位置決めを繰り返される。このため、直入型メモリカード４を押し込まれたとき、メモリカード４の周縁は遮蔽ハウジング２の誘導部２１１と位置決め構造３に備える押し込み部３２１端面の支えにより、遮蔽ハウジング２の側板２２に沿って進める（すなわち、カードコネクタの長辺に沿って移動する）。直入型メモリカード４のずれにより、幅の広い挿入口に回されて、偏りによるメモリカード破損を防止できる。
【００２２】
なお、コーナー型メモリカード４で使用するとき（図９）、押し込み台３２に備える誘導塊３２２の端面を隣接のメモリカード４の接ぎ合わせ接続面と互いに支え、押し込み部３２１をメモリカード４の前部端面に支える。この構造により、押し込み台３２は収容空間２３内部において、台３１方向に進める。押し込み台３２はメモリカード４の二重押さえ（誘導塊３２２と押し込み部３２１）により、押し込み台３２を介して、弾性部材３３を圧迫した上、押し込み台３２を台３１の支持アーム３１２に移動させる。誘導塊３２２の前部端面は支持アーム３１２の端面と共同平面の状態で、メモリカード４の支えた上、絶縁台１の接ぎ合わせ接続部１２に押し込む。メモリカード４後部幅の広い部分は誘導部２１１を押さえながら、メモリカード４を挿入位置決めした後、データ伝送処理が行える。一方、メモリカードを退去するとき、メモリカード４をもう一度押して、押し込み台３２は弾性部材３３の反力に押されて、押し込み部３２１と誘導塊３２２と二重押さえにより、メモリカード４を収容空間２３外部にはじき出す。位置決め構造３は収容空間２３内部に設けるため、メモリカード４は押し込み台３２すべての押し込み力量を受けられる。さらに、弾性部材３３の弾性復帰力により、側面にずれてメモリカード退去するときの摩擦力を防止し、弾力を有効に利用して、メモリカード４をコネクタより退去することができる。
【００２３】
本考案の弾性部材３３の弾性復帰力を１２００グラムに設定することにより、弾性部材３３の弾性疲労を延長し、メモリカード４の挿抜は時間経過後もなお収容空間２３より正しくはじき出せるほか、本考案のカードコネクタの位置決め構造の寿命を延長できる。なお、本考案の弾性部材３３はメモリカード４と縦方向の力量授受による弾力で、メモリカード４をコネクタから退去する。メモリカード４のずれを防止することにより、支え点の摩擦を軽減する。この種の修飾と等効果変化は、なお本考案の請求項範囲に含まれるものとする。
【００２４】
本考案のカードコネクタの連動構造による公知技術の改善点は、以下のとおり説明する、
１．本考案は押し込み台３２に、メモリカード４を誘導し、正しい経路に案内する誘導塊３２２により、操作が確実に、滑らか、寿命を延長する効果がある、
２．本考案は、位置決め構造３をカードコネクタの短辺に設け、メモリカード４の軸方向推力を受けて移動する押し込み台３２を設けることにより、力量の授受で、その押し込み力量をメモリカード４の中央部に集中し、メモリカード４のずれによる退去するときの摩擦力発生を防止し、操作を確実、滑らかにし、寿命を延長し、コスト軽減の効果を実現できる、
３．本考案は誘導塊３２２により大きい面積の傾斜面３２３を設けて、メモリカード４に接触した後、適切な挿入経路に誘導するほか、メモリカード４両側を遮蔽ハウジング２の側板２２、誘導部２１１および押し込み台３２１の端面それぞれに当てることにより、挿入経路を確実に誘導し、操作が滑らかとなり、容易に挿抜効果を実現できる。
【００２５】
本考案の特徴は、位置決め構造３の台３１および支持アーム３１２を遮蔽ハウジング２の収容空間２３、カードコネクタの短辺に位置決めし、押し込み台３２の一端に、メモリカード４を押し込むための押し込み部３２１を設け、押し込み部３２１を離れた他端の支持アーム３１２外部に延ばして、誘導塊３２２を設ける。誘導塊３２２はメモリカード４を正しい経路に誘導する効果のほか、メモリカード４を押し込むとき、力量授受を有効に作用し、所定のメモリカード４を軸方向に対する押し込み力量により、弾性部材３３を圧迫した上、押し込み部３２１と誘導塊３２２はメモリカード４の二重押さえにより、弾性部材３３を圧迫する。これにより、側面にずれて、カード退去による摩擦力を防止し、弾力を有効に利用し、メモリカード４をコネクタより退去させ、使用寿命を延長する。操作が滑らか、故障を軽減し、挿抜を容易に実現し、安全性の高い、コスト軽減の目的を実現できる。
【００２６】
なお、メモリカードはＭＭＣ（Ｍｕｌｔｉ Ｍｅｄｉａ  Ｃａｒｄ）、ＣＦ （Ｃｏｍｐａｃｔ Ｆｌａｓｈ Ｃａｒｄ）、ＳＭ （Ｓｍａｒｔ Ｍｅｄｉａ（登録商標）  Ｃａｒｄ）、ＭＳ （Ｍｅｍｏｒｙ Ｓｔｉｃｋ）、ＳＤ （Ｓｅｃｕｒｅｄ Ｄｉｇｉｔａｌ Ｍｅｍｏｒｙ Ｃａｒｄ）、ＸＤ（ｅＸｔｒｅｍｅ Ｄｉｇｉｔａｌ）いずれのメモリカードを使用することができる。
【図面の簡単な説明】
【００２７】
【図１】本考案の立体外観図である。
【図２】本考案の立体分解図である。
【図３】本考案の位置決め構造の立体外観図である。
【図４】本考案の位置決め構造の立体分解図である。
【図５】本考案のメモリカードが押し込まれる前の平面図である。
【図６】本考案のメモリカードが押し込まれた後の平面図である。
【図７】本考案図５のメモリカードが押し込まれる前の局所拡大平面図である。
【図８】本考案図６のメモリカードが押し込まれた後の局所拡大平面図である。
【図９】本考案にもう一つのメモリカードを押し込まれた後の平面図である。
【符号の説明】
【００２８】
１  絶縁台
１１  ベース部
１２  接ぎ合わせ接続部
１３  導電端子組
１３１  接触部
１３２  連結部
２  遮蔽ハウジング
２１  ベース部
２１１  誘導部
２２  側板
２３  収容空間
３  位置決め構造
３１  台
３１１  案内棒
３１２  支持アーム
３２  押し込み台
３２１  押し込み部
３２２  誘導塊
３２３  傾斜面
３３  弾性部材
４  メモリカード
【図１】
0003128494.tif 000003
【図２】
0003128494.tif 000004
【図３】
0003128494.tif 000005
【図４】
0003128494.tif 000006
【図５】
0003128494.tif 000007
【図６】
0003128494.tif 000008
【図７】
0003128494.tif 000009
【図８】
0003128494.tif 000010
【図９】
0003128494.tif 000011
【手続補正書】
【提出日】平成18年10月26日(2006.10.26)
【手続補正１】
【補正対象書類名】実用新案登録請求の範囲
【補正対象項目名】全文
【補正方法】変更
【補正の内容】
【実用新案登録請求の範囲】
【請求項１】
外付けメモリカードを挿入して使用できるカードコネクタの位置決め構造において、絶縁台内部に導電端子組を設け、導電端子組の一端に所定のメモリカードを挿接する接触部を設け、絶縁台に収容空間を覆う遮蔽ハウジングを設け、収容空間内部に弾性部材を備えるカードコネクタの位置決め構造において、
該位置決め構造の一端に支持アームを設け、支持アーム内部に自由移動する押し込み台を設け、該押し込み台に、支持アームより延ばす誘導塊を設けて、所定のメモリカードを誘導塊に押し込んで、挿入空間を正しい位置に導き、且つ直接的に押し込み力量を軸方向に押し込んで、弾性部材が圧迫する状態を呈することを特徴とするカードコネクタの位置決め構造。
【請求項２】
該絶縁台の導電端子組の接触部は絶縁台の接ぎ合わせ接続部に位置し、接触部を離れた他端には、絶縁台外部に露出して、所定の電気回路板に電気導通するための連結部を設け、且つ絶縁台の外部に覆う遮蔽ハウジングは、位置決め構造を遮蔽ハウジングの短辺に設け、並びに遮蔽ハウジングのベース部の片側を延ばして、各種規格のメモリカードを誘導部に押し込むことを特徴とする請求項１記載のカードコネクタの位置決め構造。
【請求項３】
該位置決め構造のベース部の内部は案内棒の滑り移動と位置決めするための案内溝を設け、案内棒はメモリカードを２回押すことにより、案内溝にて、滑り移動と位置決めの繰り返し動作を行うほか、位置決め構造の押し込み台の一端は、所定のメモリカードを押し込むための押し込み部を設け、押し込み部を離れた他端に、所定のメモリカードを接触するための誘導塊を設け、且つ誘導塊により大きい面積の傾斜面を設けて、所定のメモリカードを正確な挿入ルートに誘導し、誘導塊と押し込み部を合せて、二重押さえにより、所定のメモリカードを安定に移動することを特徴とする請求項１記載のカードコネクタの位置決め構造。
【手続補正２】
【補正対象書類名】明細書
【補正対象項目名】００１０
【補正方法】変更
【補正の内容】
【００１０】
請求項１の考案は、外付けメモリカードを挿入して使用できるカードコネクタの位置決め構造において、絶縁台内部に導電端子組を設け、導電端子組の一端に所定のメモリカードを挿接する接触部を設け、絶縁台に収容空間を覆う遮蔽ハウジングを設け、収容空間内部に弾性部材を備えるカードコネクタの位置決め構造において、
該位置決め構造の一端に支持アームを設け、支持アーム内部に自由移動する押し込み台を設け、該押し込み台に、支持アームより延ばす誘導塊を設けて、所定のメモリカードを誘導塊に押し込んで、挿入空間を正しい位置に導き、且つ直接的に押し込み力量を軸方向に押し込んで、弾性部材が圧迫する状態を呈することを特徴とするカードコネクタの位置決め構造としている。
請求項２の考案は、該絶縁台の導電端子組の接触部は絶縁台の接ぎ合わせ接続部に位置し、接触部を離れた他端には、絶縁台外部に露出して、所定の電気回路板に電気導通するための連結部を設け、且つ絶縁台の外部に覆う遮蔽ハウジングは、位置決め構造を遮蔽ハウジングの短辺に設け、並びに遮蔽ハウジングのベース部の片側を延ばして、各種規格のメモリカードを誘導部に押し込むことを特徴とする請求項１記載のカードコネクタの位置決め構造としている。
請求項３の考案は、該位置決め構造のベース部の内部は案内棒の滑り移動と位置決めするための案内溝を設け、案内棒はメモリカードを２回押すことにより、案内溝にて、滑り移動と位置決めの繰り返し動作を行うほか、位置決め構造の押し込み台の一端は、所定のメモリカードを押し込むための押し込み部を設け、押し込み部を離れた他端に、所定のメモリカードを接触するための誘導塊を設け、且つ誘導塊により大きい面積の傾斜面を設けて、所定のメモリカードを正確な挿入ルートに誘導し、誘導塊と押し込み部を合せて、二重押さえにより、所定のメモリカードを安定に移動することを特徴とする請求項１記載のカードコネクタの位置決め構造としている。
【手続補正３】
【補正対象書類名】明細書
【補正対象項目名】００２６
【補正方法】変更
【補正の内容】
【００２６】
なお、メモリカードはＭＭＣ（Ｍｕｌｔｉ Ｍｅｄｉａ Ｃａｒｄ（登録商標））、ＣＦ （Ｃｏｍｐａｃｔ Ｆｌａｓｈ Ｃａｒｄ（登録商標））、ＳＭ （Ｓｍａｒｔ Ｍｅｄｉａ （登録商標） Ｃａｒｄ）、ＭＳ （Ｍｅｍｏｒｙ Ｓｔｉｃｋ（登録商標））、ＳＤ （Ｓｅｃｕｒｅｄ Ｄｉｇｉｔａｌ Ｍｅｍｏｒｙ Ｃａｒｄ（登録商標））、ＸＤ（ｅＸｔｒｅｍｅ Ｄｉｇｉｔａｌ）いずれのメモリカードを使用することができる。